(57)【特許請求の範囲】
【請求項１】
一端部にフック（２）を形成した連結具本体（３）を備え、連結具本体（３）にフック（２）の先端に向けて開口するように収納孔（５）が形成されると共に、収納孔（５）を外部に連通するようにガイド溝（７）が収納孔（５）に沿って形成され、前記収納孔（５）にフック（２）の先端に向けて出退自在に収納保持されてフック（２）の開口部（４）を開閉自在に閉鎖する開閉ロッド（１０）と、前記収納孔（５）に収納されて開閉ロッド（１０）を閉鎖方向に付勢するバネ（１１）と、開閉ロッド（１０）にガイド溝（７）を摺動する連結部（１２）を介して外方に突設された開放操作体（１３）とが具備された連結具において、
連結具本体（３）のフック（２）基部の両側に一対の係止孔（２０，２１）が設けられ、弾性線材によりリング状に形成された誤作動防止部材（２３）が具備され、該誤作動防止部材（２３）の両端部に内方に屈曲されて前記一対の係止孔（２０，２１）に係合される一対の係合部（２６，２７）が設けられて、誤作動防止部材（２３）の中途部（２３ａ）がフック（２）の先端側から開放操作体（１３）に向けて接離移動自在とされ、誤作動防止部材（２３）の中途部（２３ａ）をフック（２）の先端側から開放操作体（１３）に向けて付勢するように、前記一対の係合部（２６，２７）及び一対の係止孔（２０，２１）はその軸心が互いにずらされており、前記誤作動防止部材（２３）の付勢に抗して誤作動防止部材（２３）の中途部（２３ａ）を開放操作体（１３）に近接する位置で止めるストッパー（２８）が連結具本体（３）に設けられていることを特徴とする連結具。
【請求項２】
前記一対の係止孔（２０，２１）はその底部が連結具本体（３）の厚み方向中央部を挟んで互いに離間するように連結具本体（３）の厚みに対して短く設定されていることを特徴とする請求項１に記載の連結具。
【発明の詳細な説明】
【技術分野】
【０００１】
本発明は、例えば犬等のペットの首輪や胴輪などに取り付けた係止リングに引き紐や鎖などを繋ぐ際等に使用する連結具に関するものである。
【背景技術】
【０００２】
連結具には、従来より、一端部にフックを形成した連結具本体を備え、連結具本体にフックの先端に向けて開口するように収納孔が形成されると共に、収納孔を外部に連通するようにガイド溝が収納孔に沿って形成され、前記収納孔にフックの先端に向けて出退自在に収納保持されてフックの開口部を開閉自在に閉鎖する開閉ロッドと、前記収納孔に収納されて開閉ロッドを閉鎖方向に付勢するバネと、開閉ロッドにガイド溝を摺動する連結部を介して外方に突設された開放操作体とが具備されたものがある（例えば特許文献１）。
【０００３】
この種の従来の連結具は、図６に示すように、例えば犬等のペットの首輪や胴輪などに取り付けたリングなどにフックを引っ掛けて引き紐や鎖などを繋ぐ際に使用されるが、犬等のペットが動き回ることにより、開放操作体が不測に押圧されて、開閉ロッドが開放方向に移動し、これによりフックの開口部が開いて連結具がリングなどから外れることがあった。
【０００４】
そこで、従来の連結具には、連結具本体にガイド溝から分岐したロック溝を形成し、このロック溝に開放操作体の連結部を係合することにより、開閉ロッドをフックの開口部を閉鎖する閉鎖位置にロックできるようにして、フックの開口部が不測に開いて係止リングから連結具が外れるのを防止できるようにしたものがある（例えば特許文献２）。
【先行技術文献】
【特許文献】
【０００５】
【特許文献１】特開昭６２−２８８７１１号公報
【特許文献２】特開２００９−７２０８０号公報
【発明の概要】
【発明が解決しようとする課題】
【０００６】
しかし、上記従来の連結具では、連結具本体にガイド溝に連通するロック溝をＬ字状等に形成しなければならず、連結具本体に面倒な加工を施す必要があった。
本発明は上記問題点に鑑み、開閉ロッドが開放方向に移動してフックの開口部が不測に開くのを防止できると共に容易に製造することができる連結具を提供することを目的とする。
【課題を解決するための手段】
【０００７】
本発明における課題解決のための具体的手段は、次の通りである。
この技術的課題を解決する本発明の技術的手段は、一端部にフック２を形成した連結具本体３を備え、連結具本体３にフック２の先端に向けて開口するように収納孔５が形成されると共に、収納孔５を外部に連通するようにガイド溝７が収納孔５に沿って形成され、前記収納孔５にフック２の先端に向けて出退自在に収納保持されてフック２の開口部４を開閉自在に閉鎖する開閉ロッド１０と、前記収納孔５に収納されて開閉ロッド１０を閉鎖方向に付勢するバネ１１と、開閉ロッド１０にガイド溝７を摺動する連結部１２を介して外方に突設された開放操作体１３とが具備された連結具において、
連結具本体３のフック２基部の両側に一対の係止孔２０，２１が設けられ、弾性線材によりリング状に形成された誤作動防止部材２３が具備され、該誤作動防止部材２３の両端部に内方に屈曲されて前記一対の係止孔２０，２１に係合される一対の係合部２６，２７が設けられて、誤作動防止部材２３の中途部２３ａがフック２の先端側から開放操作体１３に向けて接離移動自在とされ、誤作動防止部材２３の中途部２３ａをフック２の先端側から開放操作体１３に向けて付勢するように、前記一対の係合部２６，２７及び一対の係止孔２０，２１はその軸心が互いにずらされており、前記誤作動防止部材２３の付勢に抗して誤作動防止部材２３の中途部２３ａを開放操作体１３に近接する位置で止めるストッパー２８が連結具本体３に設けられている点にある。
【０００８】
また、本発明の他の技術的手段は、前記一対の係止孔２０，２１はその底部が連結具本体３の厚み方向中央部を挟んで互いに離間するように連結具本体３の厚みに対して短く設定されている点にある。
【発明の効果】
【０００９】
本発明によれば、例えば連結具を、犬等のペットの首輪や胴輪などに取り付けた係止リングにフックを引っ掛けて引き紐や鎖などを繋ぐ際に使用した場合、犬等のペットが激しく動き回っても、不測に開放操作体が押圧されるのを誤作動防止部材で防ぐことができ、開閉ロッドが開放方向に不測に移動して、フックの開口部が開いて連結具が係止リングから外れるのを防止することができる。
【００１０】
しかも、リング状に形成された誤作動防止部材を連結具本体に装着するには、誤作動防止部材の一対の係合部を連結具本体の一対の係止孔に係合すればよく、このため、連結具本体にはそのフック基部の両側に一対の係止孔を形成しておけばよく、連結具本体にロック溝等の面倒な加工を施す必要がなくなり、連結具の製造が容易になる。
【図面の簡単な説明】
【００１１】
【図１】本発明の第１実施形態を示す連結具の側面図である。
【図２】同連結具の正面図である。
【図３】同連結具の上面図である。
【図４】同図１のＡ−Ａ線断面図である。
【図５】同図２のＢ−Ｂ線断面図である。
【図６】同連結具の使用状態を示す斜視図である。
【発明を実施するための形態】
【００１２】
以下、本発明の実施の形態を図面に基づいて説明する。図１〜図５において、連結具１は、一端部にフック２を形成した連結具本体３を備え、フック２と連結具本体３との間に開口部４が設けられている。連結具本体３にフック２の先端に向けて開口するように円形の収納孔５が連結具本体３の長手方向に形成されると共に、収納孔５を外部に連通するようにガイド溝７が収納孔５に沿って形成されている。
【００１３】
連結具１には、収納孔５にフック２の先端に向けて出退自在に収納保持されてフック２の開口部４を開閉自在に閉鎖する開閉ロッド１０と、収納孔５に収納されて開閉ロッド１０を閉鎖方向に付勢するコイルバネ１１と、開閉ロッド１０にガイド溝７を摺動する連結部１２を介して外方に突設された開放操作体１３とが具備されている。
連結具１の他端部（フック２とは反対側）には、連結リング１６が設けられ、連結リング１６は取付軸部１７廻りに回転自在に支持されている。
【００１４】
なお、連結具本体３、開閉ロッド１０、開放操作体１３、連結リング１６等は金属により構成されている。
連結具本体３のフック２基部の厚み方向両側に左右一対の係止孔２０，２１が設けられ、連結具本体３のフック２側に誤作動防止部材２３が具備されている。誤作動防止部材２３は弾性線材により平面視Ｕ字形のリング状に形成され、誤作動防止部材２３の両端部に左右方向（連結具本体３の厚み方向）内方に屈曲した一対の係合部２６，２７が設けられている。一対の係合部２６，２７は一対の係止孔２０，２１にそれぞれ係合されて、誤作動防止部材２３の中途部２３ａが係合部２６，２７を支点にフック２の先端側から開放操作体１３に向けてａ方向及びｂ方向に接離移動自在（揺動自在）とされている。
【００１５】
一対の係合部２６，２７及び一対の係止孔２０，２１はその軸心が互いに前後方向にずらされている。即ち、一方の係合部２６（係止孔２０）と他方の係合部２７（係止孔２１）とが前後方向にずれて配置されている。これにより、係合部２６，２７を支点に誤作動防止部材２３を開放操作体１３から離間する方向（ａ方向）に揺動したときに、誤作動防止部材２３の捩れによる弾性変形の復元力により、誤作動防止部材２３の中途部２３ａをフック２の先端側から開放操作体１３に向けてｂ方向に付勢するようになっている。連結具本体３のフック２側の厚み方向両側に、前記誤作動防止部材２３の付勢に抗して誤作動防止部材２３の中途部２３ａを開放操作体１３に近接する位置で止めるストッパー２８が左右一対設けられている。
【００１６】
前記一対の係止孔２０，２１はその底部が連結具本体３の厚み方向中央部を挟んで互いに離間するように連結具本体３の厚みに対して短く設定されている。また、誤作動防止部材２３がストッパー２８に接当した状態で、該誤作動防止部材２３の中途部２３ａは図３に示すように開放操作体１３の外端（前端）よりも大きく外方突出（前方突出）するようになっている。
【００１７】
上記実施形態によれば、例えば図６に示すように犬等のペットの首輪２９や胴輪などに取り付けた係止リング３０に引き紐や鎖など３１を繋ぐ場合、引き紐や鎖など３１の先端部に連結リング１６を介して連結した連結具１のフック２を係止リング３０に引っ掛ければよい。
連結具１のフック２を係止リング３０に引っ掛けるには、誤作動防止部材２３をその付勢力に抗してａ方向に押圧して、誤作動防止部材２３の中途部２３ａをフック２の先端側に向けて移動させることにより開放操作体１３から離間させた後、開放操作体１３をｃ方向に押圧して、コイルバネ１１の付勢に抗して開閉ロッド１０をｃ方向（開方向）に動かし、フック２の開口部４を開放する。この状態で、フック２で係止リング３０を引っ掛ける。その後、開放操作体１３のｃ方向への押圧を解除すると共に、誤作動防止部材２３のａ方向への押圧を解除すれば、コイルバネ１１の付勢により開閉ロッド１０乃至開放操作体１３がｄ方向（開方向）に移動して、フック２の開口部４を閉鎖する。また、このとき、誤作動防止部材２３がその付勢力によってｂ方向に揺動し、開放操作体１３に近接する位置でストッパー２８に接当する。
【００１８】
従って、フック２を係止リング３０に引っ掛けた状態で、犬等のペットが激しく動き回っても、開放操作体１３が開放方向（ｄ方向）に押圧されるのを誤作動防止部材２３で効果的に防ぐことができ、開閉ロッド１０が開放方向に不測に移動して、フック２の開口部４が開いて連結具１が係止リング３０から外れるのを確実に防止できる。
また、連結具１のフック２を係止リング３０から外すには、フック２を係止リング３０に引っ掛ける場合と同様に、誤作動防止部材２３をその付勢力に抗してａ方向に押圧して、誤作動防止部材２３の中途部２３ａをフック２の先端側に向けて移動させて開放操作体１３から離間させた後、開放操作体１３をｃ方向に押圧して、コイルバネ１１の付勢に抗して開閉ロッド１０をｃ方向（開方向）に動かし、フック２の開口部４を開放する。この状態で、フック２を係止リング３０から外せばよく、フック２を係止リング３０から簡単に外すことができる。
【００１９】
そして、リング状に形成された誤作動防止部材２３を連結具本体３に装着するには、誤作動防止部材２３の一対の係合部２６，２７を連結具本体３の一対の係止孔２０，２１に係合すればよく、従って、誤作動防止部材２３を連結具本体３に装着するためには、連結具本体３のフック２基部の厚み方向両側に一対の係止孔２０，２１を形成しておけばよく、連結具本体３に面倒なロック溝等の加工を施す必要がなくなり、連結具１の製造が容易になる。
【００２０】
また、一対の係止孔２０，２１はその底部が連結具本体３の厚み方向中央部を挟んで互いに離間するように連結具本体３の厚みに対して短く設定されており、また、一対の係止孔２０，２１はその軸心が互いにずれていることもあって、連結具本体３に一対の係止孔２０，２１を形成しても、一対の係止孔２０，２１の形成によって連結具本体３の剛性が大きく低下することはなく、連結具１を長期に亘って使用することができる。
【００２１】
なお、前記実施の形態では、連結具１を、犬等のペットの首輪２９や胴輪などに取り付けた係止リング３０に引き紐や鎖など３１を繋ぐ場合に使用しているが、連結具１はこのような使用に限定されず、ワイヤロープに繋がれた荷物をクレーンで運ぶ際やショルダバックに対し肩掛け用のベルトを着脱する際その他に使用するようにしてもよい。
また、前記実施の形態では、一対の係合部２６，２７の軸心が互いに前後方向にずらされているが、これに代え、例えば一対の係合部２６，２７（一対の係止孔２０，２１）の軸心を互いに前下がりに傾斜した方向にずらすようにしてもよく、これにより、誤作動防止部材２３をより強い力でストッパー２８に接当した状態で停止させておくことができる。
【符号の説明】
【００２２】
１      連結具
２      フック
３      連結具本体
４      開口部
５      収納孔
７      ガイド溝
１０    開閉ロッド
１１    コイルバネ
１２    連結部
１３    開放操作体
２０    係止孔
２１    係止孔
２３    誤動作防止部材
２３ａ  中途部
２６    係合部
２７    係合部
２８    ストッパー
【図１】
0005755990.tif 000002
【図２】
0005755990.tif 000003
【図３】
0005755990.tif 000004
【図４】
0005755990.tif 000005
【図５】
0005755990.tif 000006
【図６】
0005755990.tif 000007